(57)【特許請求の範囲】
【請求項１】
収納庫本体側または収納庫の開口を塞ぐ塞ぎ部材側のいずれかに、キー操作により作動板を一定方向に作動するシリンダ錠を取付た収納庫の施・解錠装置であって、
前記作動板に電動アクチェータを取り付けると共に、該電動アクチェータの駆動出力を変換機構を介して前記作動板と同方向に作動する作動アームの移動に変換し、該作動アームの移動により収納庫が施解錠されることを特徴とする収納庫の施・解錠装置。
【請求項２】
前記電動アクチェータが減速モータである請求項１に記載の収納庫の施・解錠装置。
【請求項３】
前記変換機構が、前記減速モータの回転軸に固着されたピニオンと、該ピニオンに噛合すべく作動アームに固着されたラックとで構成されている請求項２に記載の収納庫の施・解錠装置。
【請求項４】
前記変換機構が、前記減速モータの回転軸に対し偏心した位置に設けた偏心軸と、該偏心軸と遊嵌する長溝を有し前記作動アームに固着された連動板とで構成されている請求項２に記載の収納庫の施・解錠装置。
【請求項５】
前記作動アームの移動する軌道上に、前記作動アームの施錠位置と解錠位置とを検出する検出器を配設し、該検出器による検出信号で前記減速モータの回転制御を行う請求項２〜４の何れかに記載の収納庫の施・解錠装置。
【請求項６】
前記作動アームの前面を前記作動板の後面と摺接させ、該作動アームの後面をシリンダ錠の後面板の前面と摺接させた請求項１〜５の何れかに記載の収納庫の施・解錠装置。
【発明の詳細な説明】
【０００１】
【発明の属する技術分野】
本発明は、前後移動自在な引出しを備えたキャビネットや、水平回転式の扉またはスライド式の引戸を備えたロッカーなどの収納庫本体側または収納庫の開口を塞ぐ引出しや扉側のいずれかに、キー操作により作動板を一定方向に作動するシリンダ錠を取付た収納庫の施・解錠装置に関する。
【０００２】
【従来の技術】
従来の収納庫の施・解錠装置は、手動式の錠（キー）を使用して施・解錠操作するのが一般的であるが、多数のキャビネットやロッカー等を一括管理する場合における容易性や錠を保持する手間を軽減するために、電気錠の使用も一般化されている。
【０００３】
ところが、このような電気錠のみを使用した場合では、電気的なトラブルが生じた場合に施・解錠が行われない状態となることから、このような非常時でも手動式の錠（キー）の使用により施・解錠を行うことができる施・解錠装置が使用されている。
【０００４】
このような施・解錠装置として、特許第３１７７４４７号公報がある。この従来の施・解錠装置０１は、図７に示されるように、キャビネット本体（不図示）の枠体内部に配置されるホルダ０４には、錠０１２とモータ０８が、互いに近接して水平に配置され、錠０１２には手動式のキー０１０を差し込むためのキー孔が開口している。
【０００５】
ホルダ０４に固定されたモータ０８の回転軸０１４には第１ウォーム０１５が固着され、錠０１２後方の第１ロータ０２２に取付けられた第１ウォームギャ０１６とモータ０８の第１ウォーム０１５との間には、上下に第２ウォーム０１９と第２ウォームギャ０１８を一体的に形成した段付きの中間軸０２０が垂直軸回りに回転自在に取り付けられ、中間軸０２０の第２ウォームギャ０１８とモータ０８の第１ウォーム０１５を噛合させている。
【０００６】
また、錠０１２後方の第２ロータ０２４に取付けられたピニオンギャ０２５は、ラック０２６の下面に形成されたラック歯０２６ａに噛合しており、モータ０８の正逆回転によりウォーム０１５、第２ウォームギャ０１８，ウォーム０１９そして第１ウォームギャ０１６を介してピニオンギャ０２５を正逆回転することによりラック０２６を前後に移動するようになっている。
【０００７】
更に、錠０１２の第１ロータ０２２と第２ロータ０２４との間には図示しないクラッチが介在されており、キー０１０を使用しない状態では、クラッチは入りの状態にバネ付勢されて両ロータ０２２、０２４は一体回転し、キー０１０を差し込むとクラッチが切れて、第１ロータ０２２は回転せずに第２ロータ０２４のみが回転するように設定されている。
【０００８】
従って、キー０１０が差し込まれた状態では、ピニオンギャ０２５の回転がモータ０８側から切り離されるので、キー０１０の回転操作によって単独回転が可能となり、ピニオンギャ０２５と噛合するラック０２６を直線方向に移動するようになっている。
【０００９】
そして、ラック０２６下面の移動軌跡上の前後に一対のリミットスイッチ０２８が並設され、ラック０２６の下面に固着した当り部材０３０とリミットスイッチ０２８のアームとの当接により、モータ０８の回転を停止しラック０２６のストロークを規制している。
【００１０】
【発明が解決しようとする課題】
ところで、上記の従来の施・解錠装置０１では、モータ０８による電気的な駆動による施・解錠と、手動操作による施・解錠の操作を個別に行うようにするため、キー０１０の差し込んだ際、第１ロータ０２２と第２ロータ０２４間のクラッチが切り離されるように構成されている。
【００１１】
従って、このような従来の施・解錠装置０１では、電気的な駆動による施・解錠と手動操作による施・解錠動作を切り換えるために、キー０１０の形状を特殊形状に形成する必要があるだけでなく、施・解錠装置０１自体も、電気的な操作と手動操作との両者の操作を行うための専用の機構（第１ロータ０２２と第２ロータ０２４等）が組み込まれた複雑な構成となるため、組立が困難なだけでなくメンテナンスも困難となる問題を有していた。
【００１２】
本発明は、このような問題点に着目してなされたもので、既存のマニュアル操作によるシリンダ錠を、簡素な機構の付加により電気的ならびに手動により施・解錠を行うことができるようにした収容庫の施・解錠装置を提供することを目的とする。
【００１３】
【課題を解決するための手段】
上記課題を解決するために、本発明の収納庫の施・解錠装置は、収納庫本体側または収納庫の開口を塞ぐ塞ぎ部材側のいずれかに、キー操作により作動板を一定方向に作動するシリンダ錠を取付た収納庫の施・解錠装置であって、前記作動板に電動アクチェータを取り付けると共に、該電動アクチェータの駆動出力を変換機構を介して前記作動板と同方向に作動する作動アームの移動に変換し、該作動アームの移動により収納庫が施解錠されることを特徴としている。
この特徴によれば、既存のシリンダ錠の作動板に電動アクチェータを取り付けることで、作動アームが変換機構を介して電動アクチェータの駆動または停止により作動板の作動方向と同方向に移動する構成となっているので、既存のシリンダ錠の本体に簡素な構成電動アクチェータ関連部品を単に付加することでマニュアル並びに電気的に施・解錠を行うことができる。
【００１４】
本発明の収納庫の施・解錠装置は、前記電動アクチェータが減速モータであることが好ましい。
このようにすれば、作動アームの移動ストロークを減速モータの回動量で決められるので、該ストロークを大きくとれる。
【００１５】
本発明の収納庫の施・解錠装置は、前記変換機構が、前記減速モータの回転軸に固着されたピニオンと、該ピニオンに噛合すべく作動アームに固着されたラックとで構成されていることが好ましい。
このようにすれば、ピニオンの直径またはラックの長さを適宜設定することで、作動アームの動作時のトルク並びにストロークを適切にすることができる。
【００１６】
本発明の収納庫の施・解錠装置は、前記変換機構が、前記減速モータの回転軸に対し偏心した位置に設けた偏心軸と、該偏心軸と遊嵌する長溝を有し前記作動アームに固着された連動板とで構成されていることが好ましい。
このようにすれば、作動アームのストローク途中の速度を速く、両ストローク端における速度を減速させことができる。
【００１７】
本発明の収納庫の施・解錠装置は、前記作動アームの移動する軌道上に、前記作動アームの施錠位置と解錠位置とを検出する検出器を配設し、該検出器による検出信号で前記減速モータの回転制御を行うことが好ましい。
このようにすれば、減速モータによる電気的な誤動作を防止することができる。
【００１８】
本発明の収納庫の施・解錠装置は、前記作動アームの前面を前記作動板の後面と摺接させ、該作動アームの後面をシリンダ錠の後面板の前面と摺接させることが好ましい。
このようにすれば、シリンダ錠の作動アームを作動板とシリンダ錠の後面板と間で円滑に摺動可能に移動させることができる。
【００１９】
【発明の実施の形態】
以下、本発明の実施例を図面に基づいて説明する。
【００２０】
図１〜図５は、本発明の一実施形態を示すもので、図１は本発明が適用された前後移動自在な引出しを備えたキャビネットの斜視図、図２は施・解錠装置が収容された引き出し前方の断面図、図３は図２のＡ−Ａ断面図、図４は施・解錠装置単体の斜視図、図５は施・解錠装置の動作説明図であり、（ａ）は施・解錠装置を電気的に施錠した状態、（ｂ）は施・解錠装置を電気的に解錠した状態であり、（ｃ）は施・解錠装置をマニュアルで解錠した状態を示す説明図である。
【００２１】
図１に示す符号１は収納庫であるキャビネットを示し、このキャビネット１には、上下に３段の引き出し２が前後移動自在に収容されており、上段の引き出し２ａの前面には図２に示すように、本実施形態に係る施・解錠装置３が設けられており、下方の２段の引き出しは施・解錠装置３に連動するよう構成されている。
【００２２】
図２及び図４に示すように、引き出し２ａの前方に形成される箱形の枠内には本発明の施・解錠装置３が収容されていて、引き出し２ａの前面には施・解錠装置３にキー５を差し込むためのキー孔６が開口している。
【００２３】
この施・解錠装置３は、シリンダ錠１０が、図２、図４に示すように折曲された板状のカバー８内に収容されており、カバー８の前方から挿通突出したシリンダ錠１０の先端１０ａがカバー８の前面で支持され、その後端はカバー８の後方に垂直に固定された前面板１２に支持されている。
【００２４】
カバー８の後方には、前面板１２に対し所定間隔をもって後面板１４が平行に固定されており、前面板１２と後面板１４によって形成される矩形の間隙内には後述する作動板１５と、作動アーム１６が長手方向に摺動可能に案内支持されている。
【００２５】
シリンダ錠１０の後端には、差し込まれたキー５の回転によって所定角度回転可能な偏心軸１８が前面板１２を通して突出しており、この偏心軸１８は、作動板１５の所定位置に形成された垂直な長溝２０に遊嵌している。
【００２６】
従って、作動板１５は、キー５のマニュアル操作による正逆回転によって偏心回転する偏心軸１８の回転力が長溝２０によって変換されて直線往復動作が可能となっている。
【００２７】
また、図３及び図４に示されるように、作動板１５の一端前面にはＬ型のブラケット２２を介して減速機付きモータ２４（以下減速モータと称する）が作動板１５の側面と平行になるよう取付けられており、減速モータ２４の出力軸にはピニオンギャ２５が固定されている。
【００２８】
作動板１５の背面には該作動板１５より長尺の帯板状の作動アーム１６が、作動板１５に対し移動方向に沿って摺動可能に摺接しており、作動アーム１６前方の片側前面に固定された所定長さのラック２６上面のラック歯２６ａと、このラック歯２６ａに噛合する減速モータ２４のピニオンギャ２５により変換機構が構成されている。
【００２９】
作動アーム１６の後方には、該作動アーム１６の移動する軌道上に、作動アーム１６の施錠位置と解錠位置とを検出する検出器としてのリミットスイッチ２８ａ、２８ｂが移動方向前後に配置されており、これらリミットスイッチ２８ａ、２８ｂによる検出信号を減速モータ２４の回転方向の切り換え条件としている。
【００３０】
そして、図２に示すように、上段の引き出し２ａが収容されるキャビネット１の内壁には、引き出し２ａを内部に入れた状態において、作動アーム１６の移動により挿通可能な施錠孔１３が作動アーム１６に対応して形成されている。
【００３１】
次に、本発明の施・解錠装置の作用につき図５（ａ）、（ｂ）を参照して説明する。
【００３２】
本発明の施・解錠装置３は、基本的に電気的な駆動により使用されるもので、電気的なトラブルが生じた際に手動操作により解錠することができるようにしたものである。
【００３３】
すなわち、図５の（ａ）に示すように、上段の引き出し２ａをキャビネット１内部に収容した状態で、例えばリモコン等による遠隔操作により減速モータ２４を起動させて、ピニオンギヤ２５を矢印方向（反時計回り）に回転することにより、このピニオンギヤ２５と噛合しているラック２６を介して作動アーム１６が作動板１５の背面と後面板１４によって案内されて矢印方向に左行し、シリンダ錠１０によって移動不能な状態の作動板１５に対しても左方に移動することで、その先端１６ａが施錠孔１３を挿通した際に上段の引き出し２ａがロックされる。
【００３４】
この状態では、後方に配置されているリミットスイッチ２８ｂが最初にＯＦＦ状態となった後に、前方に配置されているリミットスイッチ２８ａがＯＦＦ状態となり、このリミットスイッチ２８ａからのＯＦＦ信号により、減速モータ２４の回動を停止し、かつ例えばリモコン上で施・解錠装置３の施錠状態が確認される。
【００３５】
次いで、リモコン等の遠隔操作により減速モータ２４を逆転させると、図５の（ｂ）に示すように、ピニオンギヤ２５が矢印方向（時計回り）に回転することで、作動アーム１６がピニオンギヤ２５と噛合しているラック２６を介して矢印方向に右行し、上記同様に移動不能な状態の作動板１５に対しても右方に移動し、その先端１６ａが施錠孔１３から抜き出されることで引き出し２ａのロックが解錠される。
【００３６】
この状態では、前方に配置されているリミットスイッチ２８ａが最初にＯＮ状態となった後に、後方に配置されているリミットスイッチ２８ｂがＯＮ状態となり、このリミットスイッチ２８ｂからのＯＮ信号により、減速モータ２４の回動を停止し、かつ例えばリモコン上で施・解錠装置３の解錠状態が確認される。
【００３７】
ここで、施・解錠装置３が図５の（ａ）に示すように電気的に施錠状態にあるとき、施・解錠装置３に電気的なトラブルが生じて解錠不能となった際は、図５の（ｃ）に示す引き出し２ａの前面のキー孔６を通して施・解錠装置３のシリンダ錠１０にキー５を差込み、キー５をマニュアルで例えば時計回りに回転させることにより、これと同方向に回転する偏心軸１８と遊嵌している長溝２０を介して作動板１５が矢印方向に右行する。
【００３８】
このとき、作動板１５上に取付けられている減速モータ２４は停止状態となっているため、この減速モータ２４のピニオンギャ２５に外方から回転力が作用した場合には、停止状態の減速モータ２４は図示しない減速機構により回転不能であることから、作動アーム１６はピニオンギャ２５と噛合しているラック２６を介して作動板１５と共に同方向に移動することで施錠状態を解錠することが出来る。
【００３９】
従って、本実施形態によれば、既存のシリンダ錠１０の作動板１５に減速モータ２４を取り付け、作動アーム１６が、減速モータ２４の出力軸に取付けられたピニオンギャ２５と作動アーム１６に固定されたラック２６から成る変換機構を介して作動板１５の移動方向に沿って相対的に摺動するように、既存のシリンダ錠１０の本体に簡素な構成を付加することで、マニュアル並びに電気的にも施・解錠を行うことができ、例えば、電気的なトラブルで施・解錠装置がロック状態にあるときでもマニュアル操作で容易に解錠することが可能となる。
【００４０】
また、変換機構が、ラック２６とピニオンギャ２５の組み合わせにより構成されていることから、ピニオンギャ２５の直径またはラック２６の長さを適宜設定することで、作動アーム１６の動作時のトルク並びにストロークを適切に選択することができる。
【００４１】
更に、作動アーム１６の移動する軌道上に、該作動アーム１６の施錠位置と解錠位置とを検出するリミットスイッチ２８ａ、２８ｂを配設し、これらリミットスイッチ２８ａ、２８ｂによる検出信号を減速モータ２４の回転方向の切り換え条件とされているので、減速モータ２４による電気的な誤動作を防止することができる。
【００４２】
更に加えて、互いに摺接されて移動可能な作動アーム１６と作動板１５が、シリンダ錠１０の後方に構成された後面板１４と前面板１２との間に摺動可能に案内支持されているので、シリンダ錠１０のマニュアル操作により回転力を作動板１５に対し横方向から回転負荷として付与した場合でも、互いに摺接された作動アーム１６と作動板１５を円滑に摺動可能に案内することができる。
【００４３】
次に、施・解錠装置の他の実施形態につき図６を参照して説明する。
【００４４】
図６は、本実施形態に係る施・解錠装置の動作説明図であり、（ａ）は施・解錠装置を電気的に施錠した状態、（ｂ）は施・解錠装置を電気的に解錠した状態であり、（ｃ）は施・解錠装置をマニュアルで解錠した状態を示す説明図である。なお、  本実施形態の施・解錠装置では、上記変換機構の構成のみを変更したものであり、前述した構成部材と同一構成部材については同一符号を使用し、重複する説明を省略する。
【００４５】
すなわち、本実施形態に係る施・解錠装置３３は、図６の（ａ）〜（ｃ）に示すように、作動板１５の一端前面にＬ型のブラケット２２を介して取付けられた減速モータ２４の出力軸に、この出力軸に対し偏心位置に偏心軸３２を突設した回転部材としての円板３０を取付け、減速モータ２４の回転によって偏心半径内で回転する偏心軸３２が係合する範囲の長さの縦長の長溝３５を設けた連動板３４を、作動アーム１６前方の片側前面に立設した構成の変換機構を有している。
【００４６】
そこで、上記の施・解錠装置３３は、図６の（ａ）に示すように、上段の引き出し２ａをキャビネット１内部に収容した状態で、リモコン等による遠隔操作により減速モータ２４を起動させて、円板３０を矢印方向（反時計回り）に回転することにより、この円板３０の偏心軸３２と縦長の長溝３５と係合している連動板３４を介して作動アーム１６が、作動板１５の背面と後面板１４によって案内されて矢印方向に左行し、シリンダ錠１０後端の偏心軸１８との遊嵌によって移動不能な状態の作動板１５に対しても左方に移動することで、その先端１６ａが施錠孔１３を挿通した際に上段の引き出し２ａがロックされる。
【００４７】
次いで、リモコン等の遠隔操作により減速モータ２４を逆転させると、図６の（ｂ）に示すように、円板３０が矢印方向（時計回り）に回転することで、作動アーム１６が円板３０の偏心軸３２と係合している長溝３５を介して矢印方向に右行し、上記同様に移動不能な状態の作動板１５に対しても右方に移動し、その先端１６ａが施錠孔１３から抜き出されることで引き出し２ａのロックが解錠される。
【００４８】
ここで、施・解錠装置３３が図６の（ａ）に示すように電気的に施錠状態にあるとき、施・解錠装置３３に電気的なトラブルが生じて解錠不能となった際は、図６の（ｃ）に示す引き出し２ａの前面のキー孔６を通して施・解錠装置３のシリンダ錠１０にキー５を差込み、キー５をマニュアルで例えば時計回りに回転させることにより、これと同方向に回転する偏心軸１８と遊嵌している長溝３５を介して作動板１５が矢印方向に右行する。作動板１５が右行すると、Ｌ型のブラケット２２、偏心軸３２、連動板３４を介して作動アーム１６も右行し、ロック状態から解旋される。
【００４９】
本実施形態の施・解錠装置３３の変換機構が、作動板１５に取り付けられた減速モータ２４の出力軸の偏心位置に偏心軸３２を設けた回転部材としての円板３０と、この偏心軸３２と遊嵌する縦長の長溝３５を形成し作動アーム１６に固着された連動板３４とで構成されることから、作動アーム１６のストローク途中の速度を速く、両ストローク端における速度を減速させことができる。
【００５０】
以上、本発明の実施例を図面により説明してきたが、具体的な構成はこれら実施例に限られるものではなく、例えば、減速モータに替えて電磁石等で作動する直線型の電気的アクチェータであっても良く、本発明の要旨を逸脱しない範囲における変更や追加があっても本発明に含まれる。
【００５１】
【発明の効果】
本発明によれば、次のような効果が得られる。
【００５２】
（ａ）請求項１に記載の発明によれば、既存のシリンダ錠の作動板に電動アクチェータを取り付けることで、作動アームが変換機構を介して電動アクチェータの駆動または停止により作動板の作動方向と同方向に移動する構成となっているので、既存のシリンダ錠の本体に簡素な構成電動アクチェータ関連部品を単に付加することでマニュアル並びに電気的に施・解錠を行うことができる。
【００５３】
（ｂ）請求項２に記載の発明によれば、作動アームの移動ストロークを減速モータの回動量で決められるので、該ストロークを大きくとれる。
【００５４】
（ｃ）請求項３に記載の発明によれば、ピニオンの直径またはラックの長さを適宜設定することで、作動アームの動作時のトルク並びにストロークを適切にすることができる。
【００５５】
（ｄ）請求項４に記載の発明によれば、作動アームのストローク途中の速度を速く、両ストローク端における速度を減速させことができる。
【００５６】
（ｅ）請求項５に記載の発明によれば、減速モータによる電気的な誤動作を防止することができる。
【００５７】
（ｆ）請求項６に記載の発明によれば、シリンダ錠の作動アームを作動板とシリンダ錠の後面板と間で円滑に摺動移動させることができる。
【図面の簡単な説明】
【図１】本発明の一実施形態に係り、前後移動自在な引出しを備えたキャビネットの斜視図である。
【図２】施・解錠装置が収容された引き出し前方の断面図である。
【図３】図２のＡ−Ａ断面図である。
【図４】施・解錠装置単体の斜視図である。
【図５】施・解錠装置の動作説明図であり、（ａ）は施・解錠装置を電気的に施錠した状態、（ｂ）は施・解錠装置を電気的に解錠した状態であり、（ｃ）は施・解錠装置をマニュアルで解錠した状態を示す説明図である。
【図６】他の実施形態に係る施・解錠装置の動作説明図であり、（ａ）は施・解錠装置を電気的に施錠した状態、（ｂ）は施・解錠装置を電気的に解錠した状態であり、（ｃ）は施・解錠装置をマニュアルで解錠した状態を示す説明図である。
【図７】従来の施・解錠装置の分解斜視図である。
【符号の説明】
１              キャビネット
２              引き出し
２ａ            上段の引き出し
３              施・解錠装置
５              キー
６              キー孔
８              カバー
１０            シリンダ錠
１０ａ          先端
１２            前面板
１３            施錠孔
１４            後面板
１５            作動板
１６            作動アーム
１６ａ          先端
１８            偏心軸
２０            長溝
２２            ブラケット
２４            減速モータ
２５            ピニオンギャ
２６            ラック
２６ａ          ラック歯
２８ａ、２８ｂ  リミットスイッチ
３０            円板（回転部材）
３２            偏心軸
３３            施・解錠装置
３４            連動板
３５            長溝
【図１】
0004658413.tif 000002
【図２】
0004658413.tif 000003
【図３】
0004658413.tif 000004
【図４】
0004658413.tif 000005
【図５】
0004658413.tif 000006
【図６】
0004658413.tif 000007
【図７】
0004658413.tif 000008